(57)【要約】  【課題】  乗りかご内の乗客への案内放送を一概に行うことなく、乗りかごが乗客の目的階と反対方向に出発することを防止する。  【解決手段】  乗場に設置された乗場釦によりホール呼びを登録して乗りかご内に乗り込んだ乗客が乗りかご内に設置された行き先階登録釦によるかご呼び未登録のときに、別の乗場に設置された乗場釦により、乗りかご内の乗客のホール呼びに応じた運転方向と逆方向の別のホール呼びが登録された場合、別のホール呼びを一旦保留して乗りかご内の乗客にかご呼び登録を促す案内放送を行う。【選択図】図２
2016016988.tif 000002
【特許請求の範囲】
【請求項１】
乗場に設置された乗場釦により登録されたホール呼び及び乗りかご内に設置された行き先階登録釦により登録されたかご呼びに基づいて前記乗りかごの運行を制御する制御装置と、前記乗りかご内の乗客に案内放送を行う放送装置とを備えたエレベーター装置において、
前記乗りかご内の乗客の有無を検出する乗客検出装置を備え、
前記制御装置は、前記ホール呼びに応答して前記乗りかごのドア開後、前記乗りかご内の乗客が検出された状態で、前記かご呼びが登録されていないときに、前記ホール呼びに応じた乗りかご運転方向と逆方向の別のホール呼びが登録された場合、前記別のホール呼びへの対応を保留とし、かつ、前記放送装置を介して前記乗りかご内の乗客に前記かご呼びを登録するよう案内放送を行うことを特徴とするエレベーター装置。
【請求項２】
請求項１に記載のエレベーター装置において、
前記制御装置は、前記別のホール呼びが登録または前記案内放送がされてから所定時間経過しても前記かご呼び登録がない場合、前記別のホール呼びへの対応を開始することを特徴とするエレベーター装置。
【発明の詳細な説明】
【技術分野】
【０００１】
本発明は、エレベーター装置に係り、特に、乗りかご内の乗客へ案内放送を行うエレベーター装置に関する。
【背景技術】
【０００２】
乗りかごに乗り込んだ乗客が、かご呼びを登録し忘れることにより、乗りかごが目的階と反対方向に出発することを防止するものとして、特開昭６３−１８０６８８号公報（特許文献１）に記載されたものがある。この特許文献１には、かご呼び及び乗りかごの進行方向と同方向のホール呼びに順次応答し最終呼びに応答した後、進行方向を反転するエレベーターにおいて、ホール呼びに応答しドア開後、所定時間経過を検出する手段と、この検出手段により所定時間検出後、応答したホール呼び方向のかご呼びが登録されていない場合、乗りかご内の乗客に対してかご呼び登録をする旨報知する手段とを有するエレベーターの制御装置が記載されている。
【先行技術文献】
【特許文献】
【０００３】
【特許文献１】特開昭６３−１８０６８８号公報
【発明の概要】
【発明が解決しようとする課題】
【０００４】
特許文献１では、ドア開後、応答したホール呼び方向のかご呼びが登録されていない状態で所定時間が経過すると、乗りかご内の乗客に対してかご呼び登録を促している。応答したホール呼び方向のかご呼びが登録されていない状態で、他の階の利用者からのホール呼びが登録される場合がある。特許文献１ではこのような場合について考慮されていない。従って、特許文献１では、乗りかごの進行方向（乗りかご内の乗客によるホール呼び方向）と逆方向のホール呼びの有無にかかわらず、所定時間経過するとかご呼び登録を促す案内放送がなされることになる。他の階の利用者のホール呼び方向が乗りかごの進行方向と同じ方向の場合や、他の階によるホール呼びが登録されていなければ、乗りかご内の乗客に対してかご呼び登録を一概に促すことは、乗りかご内の乗客に煩わしさを感じさせるおそれがある。
【０００５】
本発明の目的は、乗りかご内の乗客への案内放送を一概に行うことなく、乗りかごが乗客の目的階と反対方向に出発することを防止することができるエレベーター装置を提供することにある。
【課題を解決するための手段】
【０００６】
上記目的を達成するために、本発明は、ホール呼びをして乗りかご内に乗り込んだ乗客がかご呼び未登録のとき、その乗客のホール呼びに応じた運転方向と逆方向の別のホール呼びが登録された場合、別のホール呼びを一旦保留して乗りかご内の乗客にかご呼び登録を促す案内放送を行うことを特徴とする。
【発明の効果】
【０００７】
本発明によれば、乗りかご内の乗客への案内放送を一概に行うことなく、乗りかごが乗客の目的階と反対方向に出発することを防止することができる。  
上記した以外の課題、構成及び効果は、以下の実施形態の説明により明らかにされる。
【図面の簡単な説明】
【０００８】
【図１】本発明のエレベーター装置の一実施例を示す概略構成図である。
【図２】本発明のエレベーター装置の一実施例における処理手順を示すフローチャートである。
【発明を実施するための形態】
【０００９】
以下、本発明に係るエレベーター装置の一実施例を図に基づき説明する。  
一般的なエレベーター装置は、乗りかご側ガイドレールによって昇降を案内される乗りかごと、つり合いおもり側ガイドレールによって昇降を案内されるつり合いおもりと、乗りかごとつり合いおもりの間を連結した主ロープと、主ロープを駆動する巻上機などを備えている。そして、本実施例のエレベーター装置には、図１に示すように、建屋のそれぞれの乗場に設置されホール呼びを登録する乗場釦１と、乗りかご２内に設置されかご呼びを登録する行き先階登録釦３と、登録されたホール呼びやかご呼びに基づき乗りかご２の運行の制御や乗りかご２のドア開閉の制御などを行う制御装置４と、乗りかご２内の乗客に案内放送を行う放送装置５と、乗りかご２内の乗客の有無を検出する荷重センサなどの乗客検出装置６とを備えている。なお、本実施例のエレベーター装置は、複数台のエレベーターの運行を制御する群管理エレベーター装置ではなく、１台のエレベーターの運行を制御する場合に好適なものである。
【００１０】
次に、本実施例のエレベーター装置における運行の制御内容について説明する。  
図２に示すように、スタートすると、手順Ｓ１として、まずメモリ内の各種データのクリア及びデータセット等の初期化ルーチンが実行され、次いで、手順Ｓ２として、運行処理ルーチンへと移行する。この運行処理ルーチンでは、ホール呼び及びかご呼びの登録に応じて乗りかご２の運転方向を選択し、乗りかご２を登録階に向けて走行させ、減速指令に応じて減速し、着床してからドア開信号を出力する等の通常のエレベーターの運行を実行する。
【００１１】
この運行処理ルーチンが行われている際、例えば利用者が５階床から基準階である１階床にエレベーターを利用して行こうと思い、５階床の乗場に設置される下降方向の乗場釦１を操作しホール呼びを登録する。このホール呼びが登録されると、乗りかご２が５階床以外の階床に位置している場合、乗りかご２は５階床へと移動し、手順Ｓ３に示すように、着床に応じてドアが開く。そして、利用者が乗りかご２に乗り込むと、手順Ｓ４として、乗客検出装置６により乗りかご２内に乗客がいることが検出された状態となる。なお、この時、エレベーターは５階床乗場の下降方向の乗場釦１の操作に応じ、下降方向のかご運転方向となっている。
【００１２】
この後、乗りかご２内の乗客が何らかの理由で行き先階登録釦３の操作を行わない状態で、例えば１０階床の乗場で他の利用者が下降方向の乗場釦１を操作し、別のホール呼びが登録されたとする。この他の利用者によるホール呼びが登録されると、制御装置４は、手順Ｓ５として、乗りかご２内の乗客が検出された状態で、先発のホール呼び（５階床での下降方向の乗場釦１によるホール呼び）に応じたかご運転方向、すなわち下降方向のかご呼びが登録されていないときに、かご運転方向と逆方向、すなわち上昇方向のホール呼びが登録されたと判断する。そして、本実施例では、後発の逆方向ホール呼び（１０階床での下降方向の乗場釦１によるホール呼び／５階床から下降方向のかご呼びとは逆方向となる５階床から１０階床への上昇方向のホール呼び）への対応を所定時間保留（例えば数秒程度保留）とすると共に、手順Ｓ６に示すように、放送装置５を介して乗りかご２内の乗客にかご呼びを登録するよう案内放送を行う。所定時間の起点は、例えば、後発の逆方向のホール呼びが登録された時点または案内放送の終了時点とする。
【００１３】
この案内放送に応じて、乗りかご２内の乗客が所定時間内に所望の１階床の行き先階登録釦３を操作し、かご呼びを登録すると、制御装置４は、このかご呼びに応じて乗りかご２を１階床に向けて走行する。このとき、１０階床で登録されたホール呼びは次の呼びとして記憶されており、乗りかご２が１階床に着床し、かご運転方向が切り替わった後、応じるようになっている。
【００１４】
一方、所定時間内に乗りかご２内の乗客が行き先階登録釦３を操作せず、かご呼びを登録しないと、制御装置４ではかご運転方向が下降方向から上昇方向へと切り替わり、１０階床で登録されたホール呼びに応じて乗りかご２を走行させる。これによりエレベーターの運転効率が低下しないようにする。
【００１５】
また、ホール呼びを登録して乗りかご２を呼んだものの、何らかの理由で利用者が乗りかご２に乗り込まず、乗りかご２内に乗客がいない状況や、乗りかご２内の乗客が行き先階登録釦３の操作を行わない状態が継続しているものの、他の階床でのホール呼びも登録されていない状況では、放送装置５により案内放送が流されることはない。また、本実施例では、他の階床でのホール呼びが先発のホール呼びに応じたかご運転方向と同じ方向の場合、例えば、上述の例示において、４階床の乗場で他の利用者が下降方向の乗場釦１を操作し、ホール呼びが登録された場合にも、放送装置５により案内放送が流されることはない。
【００１６】
このように、本実施例では、ホール呼びに応答しドア開後、乗りかご２内の乗客が検出された状態で、ホール呼びに応じたかご運転方向のかご呼びが登録されていないときに、かご運転方向と逆方向のホール呼びが登録されたことに応じ、この逆方向ホール呼びを所定時間保留とし、かつ乗りかご２内の乗客にかご呼びを登録するよう案内放送を行うようにしている。したがって、本実施例では、乗客へのかご呼びの登録を促す案内放送を必要最小限としたものと言え、乗客が煩わしさを感じることを低減することができる。
【００１７】
また、案内放送に促されてかご呼びを登録することにより、乗りかごが乗客の目的階と反対方向に出発することを防止することができる。また、逆方向に運転してしまった乗りかご２内で他の乗客と乗り合わせて気まずい思いをするという状況を防ぐことができる。また、乗りかごが乗客の目的階と反対方向に出発することを防止することにより、無駄な運転を低減して運転効率の向上を図ることができる。
【００１８】
さらに、後発の逆方向ホール呼びは、所定時間のみ保留とされるもので、当該ホール呼びを行った乗客が再び乗場釦を操作して再登録する煩わしさもない。すなわち、所定時間経過しても、乗りかご内の乗客によるかご呼び登録がない場合には、保留したホール呼びに対応した制御が行われる（上述の例示の場合、乗りかご２は１０階床へと上昇方向に移動し、着床に応じてドアが開く）。なお、ホール呼びを登録して乗りかご２を呼んだものの、何らかの理由で利用者が乗りかご２に乗り込まず、乗りかご２内に乗客がいない状況で、後発の逆方向ホール呼びが登録された場合には、後発のホール呼びは保留されることなく、そのホール呼びに対応した制御が行われる。
【００１９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加，削除，置換をすることが可能である。
【符号の説明】
【００２０】
１  乗場釦
２  乗りかご
３  行き先階登録釦
４  制御装置
５  放送装置
６  乗客検出装置
【図１】
2016016988.tif 000003
【図２】
2016016988.tif 000004